(57)【要約】    【課題】  家畜が給水カップ周辺へ水を飛ばして遊ぶ動作を抑制し、もし行なったとしてもカップ外への水の飛散を防ぐことのできる畜産用飲水器の水こぼれ防止方法を提供する。    【解決手段】  給水カップの縁の内側に、環状に延びる飛散防止ガードを設ける。飛散防止ガードはパイプ状部材からなる環状部と、給水手段の左右でボルト止めされる一対の板状部材と、給水カップの前端の縁に係合する鉤状部材からなる構造とし、通常の給水カップへの取付を容易にする。  【選択図】  図２
2005348670.tif 000002
【特許請求の範囲】
【請求項１】
給水カップと給水手段を備えた畜産用飲水器において、給水カップの縁の内側に、内方へ突出した飛散防止ガードを取付けることを特徴とする畜産用飲水器の水こぼれ防止方法。
【請求項２】
前記飛散防止ガードが、給水カップの縁を略一周する環状部と、該環状部から後方に延設された左右一対の第一の取付部と、該環状部の最前部に設けられた第二の取付部とを有すことを特徴とする請求項１記載の畜産用飲水器。
【請求項３】
前記環状部がパイプ状の部材からなることを特徴とする請求項２記載の畜産用飲水器。
【請求項４】
前記環状部が平板状の部材からなることを特徴とする請求項２記載の畜産用飲水器。
【発明の詳細な説明】
【技術分野】
【０００１】
本発明は、畜産あるいは酪農分野に関し、特に畜舎等に装備される畜産用飲水器の水こぼれ防止方法に関するものである。
【背景技術】
【０００２】
図５は昭和５６年実用新案公開第１５０２７１号の公報に記載された従来の畜産用飲水器の一例を示す。この家畜用給水装置は、畜舎の家畜繋留位置毎に給水カップが頭部の側方にくるように設けられるものであって、大きく給水配管１と、開閉手段２と、給水カップ３とで構成されている。開閉手段２は給水配管１の上端に継手本体２１を装着し、前面側にガイド２２を嵌装して給水弁２３を収容している。給水弁２３は後部のスプリング２４により閉弁位置に保持され、前面はガイド２２を挿通する前後摺動可能なプッシュロッド２５の後端に当接している。ガイド２２及び継手本体２１の下面には吐出口２６が設けられている。
【０００３】
プッシュロッド２５の前端は継手本体２１の前面から少し突き出して、継手本体２１の上部に水平ピン２７で枢支された押し金具２８の裏面に当接している。家畜が水を飲もうとして給水カップ３に口を入れると、鼻先が押し金具２８の前面に当たりこれを後方へ押込むので、プッシュロッド２５を介して給水弁２３が開弁され、吐出口２６より下向きに水が供給されて半球状の給水カップ３の底部に溜まる。そこで家畜は新鮮な水を飲むことができる。また、給水カップのへり形状はストレートかあるいは安全等のための若干の返しがついている。牛は水を舌ですくい上げることにより口に運ぶので、給水カップ３の底部の水を飲み干すことができず、底から数ｃｍの水が常時滞留している場合が多い。
【特許文献１】昭和５６年実用新案公開第１５０２７１号公報
【発明の開示】
【発明が解決しようとする課題】
【０００４】
牛等の家畜が水を飲むときは給水カップ内の滞留水面を舌で下から上へすくい上げる動作を繰り返す。また牛によっては、水を飲むとき以外にも習慣的に水を舌ですくい上げ、給水カップ周辺へ飛ばして遊ぶ動作を繰り返すものもある。その結果、給水カップ周辺に水が飛び散り、特にカップの下方にある飼槽が汚れて、中の餌を腐らせてしまうことがある。腐った餌は牛の嗜好性を損ない、体調にも影響するおそれがある。
【０００５】
本発明は、家畜が給水カップ周辺へ水を飛ばして遊ぶ動作を抑制し、もし行なったとしてもカップ外への水の飛散を防ぐことのできる畜産用飲水器の水こぼれ防止方法を提供することを目的とする。
【課題を解決するための手段】
【０００６】
本出願の請求項１記載の発明は、給水カップと給水手段を備えた畜産用飲水器において、給水カップの縁の内側に、内方へ突出した飛散防止ガードを取付けることを特徴とする畜産用飲水器の水こぼれ防止方法である。
【０００７】
飛散防止ガードの形状は限定されないが、家畜の舌の動作を抑制できる程度の厚み（突出長さ）を有し、また水こぼれを防ぐために給水カップの縁を一周するように環状に延び、カップ取付部の左右において固定される形状とすることが好ましい。また既存のカップに後付けできるように、カップ径の若干の違いを吸収できるような形状とし、取付部はボルト・ナット等の簡単な固定手段を用いることが好ましい。
【０００８】
本出願の請求項２記載の発明は、請求項１記載の畜産用飲水器において、前記飛散防止ガードが、給水カップの縁を略一周する環状部と、該環状部から後方に延設された左右一対の第一の取付部と、該環状部の最前部に設けられた第二の取付部とを有することを特徴とする。
【０００９】
好ましくは、前記第一の取付部は給水カップ基部の両脇においてボルトで固定される一対の板状部材であり、前記第二の取付部は給水カップの前端部の縁に係合可能な鉤状部材である。飛散防止ガードを給水カップの前側に配置し、前記一対の板状部材が飲水器の給水手段を挟むようにして接近させると共に鉤状部材を給水カップの前端部の縁に軽く係合させ、板状部材を給水カップ基部の左右の所定位置にボルトで接合することにより、給水カップに装着することができる。給水カップの縁には返しを設け、鉤状部材と係合しやすくすることが好ましい。また鉤状部材には給水カップの多少の寸法の違いに対応できるよう、調節手段を設けることも好ましい。
【００１０】
本出願の請求項３記載の発明は、請求項２記載の畜産用飲水器において、前記環状部がパイプ状の部材からなることを特徴とする。環状部を角のないパイプ状とすることで、角が家畜の舌を傷つけることを防止する効果がある。
【００１１】
本出願の請求項４記載の発明は、請求項２記載の畜産用飲水器において、前記環状部が平板状の部材からなることを特徴とする。環状部を平板状とすることで、水の飛散量がより少なくなり、給水カップ内への突出長さが小さくても舌の動きを止める効果もある。またパイプ状部材からなるものに比べて製造も容易である。
【発明の効果】
【００１２】
本発明の水こぼれ防止方法を利用した畜産用飲水器では、給水カップの縁の内側に設けた飛散防止ガードが家畜の舌の動作を押え、もし家畜の舌が水をすくい上げても水が外側にあふれ出るのを防止するので、周囲の餌が腐敗して嗜好性を低下させることがない。
【００１３】
同じ種類の家畜であっても、カップ周辺へ水を飛ばす習慣を有するかは１頭毎に異なるが、本発明の飛散防止ガードは通常の給水カップに後から取付けることができるので、家畜の癖に合せて設置することが可能である。
【発明を実施するための最良の形態】
【００１４】
以下、本発明を実施するための最良の形態を図を参照しつつ説明する。
【実施例１】
【００１５】
畜産用飲水器は、例えば図１に示すように牛舎の２頭の牛の繋留位置の間などに設置される。図２は本発明の水こぼれ防止方法に係る飛散防止ガードを給水カップに取付けた状態を示す平面図であり、３は給水カップ、４は給水手段を含む基部、５は飛散防止ガードの環状部、６は第一の取付部である一対の板状部材、７は第二の取付部である鉤状部材である。本実施例では環状部５はパイプ状の部材を全体が一部の開いた環状になるように曲げて作られ、両端部において一対の板状部材６が後方へ延設されている。
【００１６】
給水カップ３の前側に当たる位置には図３に示されるように後方へ開いた鉤状部材７の上部が結合されている。鉤状部材７の下部は、給水カップ３の縁の返し部３ａと当接して、飛散防止ガードの上下及び後方への移動を制限する。
【００１７】
本実施例の飛散防止ガードを給水カップに取付けるには、環状部５が略水平となるように持って給水カップ３の前方から接近させ、鉤状部材７の下部を給水カップ３の返し部３ａに当接または係合させると共に、一対の板状部材６、６が基部４を挟むようにさせ、基部４の左右においてボルトで固定する。
【００１８】
本実施例では環状部５は給水カップ３の縁と略同じ高さであるが、水をはねる習慣が少なくなるように、環状部５を給水カップ３の縁３ａよりもやや低い高さとして、家畜の舌の動きを強く拘束することも好ましい。
【実施例２】
【００１９】
環状部５はパイプ状の部材とは限らず、パイプの径と同程度かそれよりやや大きい幅を持つ板状部材で構成することもできる。図４に示す実施例では、実施例１の環状部５に代えて、平板状の環状部８が設けられている。給水カップ３の前側に当たる位置には図５に示されるように環状部８と別の部材よりなる鉤状部材９がボルト等により結合されている。このような構成は、平面状の材料の切断・曲げにより加工できるので、レーザー加工機による多種少量生産に適する。
【産業上の利用可能性】
【００２０】
本発明によれば、家畜用飲水器からの水の飛散が少なくなり、餌の腐敗が防止されるので、衛生的であると共に嗜好性が落ちることがなく、家畜の体調維持に多大な効果があり、畜産業における利用価値は大きい。
【図面の簡単な説明】
【００２１】
【図１】畜産用飲水器の設置状態を示す側面図
【図２】実施例１の飛散防止ガードを取付けた畜産用飲水器の平面図
【図３】図２のＡ−Ａにおける縦断面図
【図４】実施例２の飛散防止ガードを取付けた畜産用飲水器の平面図
【図５】図４のＢ−Ｂにおける縦断面図
【図６】従来技術を示す説明図
【符号の説明】
【００２２】
３  給水カップ
４  基部
５  環状部
６  板状部材
７  鉤状部材
【図１】
2005348670.tif 000003
【図２】
2005348670.tif 000004
【図３】
2005348670.tif 000005
【図４】
2005348670.tif 000006
【図５】
2005348670.tif 000007
【図６】
2005348670.tif 000008